【事件の表示】
　上記当事者間の登録第４８４８５０２号商標の登録取消審判事件について，次のとおり審決する。
【結　論】
　登録第４８４８５０２号商標に係る指定商品中の第２０類「揺りかご，幼児用歩行器，額縁」については，その登録は取り消す。
　審判費用は，被請求人の負担とする。
【理　由】
１　本件商標
　本件登録第４８４８５０２号商標（以下「本件商標」という。）は，「Ｃｏｕｔｕｒｉｅｒ」の欧文字を標準文字により表してなり，平成１６年７月２２日に登録出願，第１８類「かばん金具，がま口口金，皮革製包装用容器，愛玩動物用被服類，かばん類，袋物，携帯用化粧道具入れ，傘，ステッキ，つえ，つえ金具，つえの柄，皮革」及び第２０類「海泡石，こはく，荷役用パレット（金属製のものを除く。），養蜂用巣箱，美容院用いす，理髪店用いす，プラスチック製バルブ（機械要素に当たるものを除く。），貯蔵槽類（金属製又は石製のものを除く。），輸送用コンテナ（金属製のものを除く。），カーテン金具，金属代用のプラスチック製締め金具，くぎ・くさび・ナット・ねじくぎ・びょう・ボルト・リベット及びキャスター（金属製のものを除く。），座金及びワッシャー（金属製・ゴム製又はバルカンファイバー製のものを除く。），錠（電気式又は金属製のものを除く。），麦わらさなだ，籐製・木製・竹製又はプラスチック製の包装用容器，ししゅう用枠，ネームプレート及び標札（金属製のものを除く。），うちわ，せんす，植物の茎支持具，愛玩動物用ベッド，犬小屋，小鳥用巣箱，きゃたつ及びはしご（金属製のものを除く。），郵便受け（金属製又は石製のものを除く。），帽子掛けかぎ（金属製のものを除く。），買物かご，家庭用水槽（金属製又は石製のものを除く。），ハンガーボード，工具箱（金属製のものを除く。），タオル用ディスペンサー（金属製のものを除く。），家具（「寝台」を除く。），つい立て，びょうぶ，ベンチ，アドバルーン，木製又はプラスチック製の立て看板，食品見本模型，人工池，揺りかご，幼児用歩行器，マネキン人形，洋服飾り型類，額縁，石こう製彫刻，プラスチック製彫刻，木製彫刻，きょう木，しだ，竹，竹皮，つる，とう，木皮，あし，い，おにがや，すげ，すさ，麦わら，わら，きば，鯨のひげ，甲殻，人工角，ぞうげ，角，歯，べっこう，骨，さんご」を指定商品として，同１７年２月７日に登録査定，同年３月１８日に設定登録されたものである。
　
２　請求人の主張
　請求人は，結論同旨の審決を求め，その理由及び弁駁（要旨）を次のように述べ，証拠方法として，甲第１号証ないし甲第３号証を提出した。
（１） 請求の理由   
　本件商標は，その指定商品中第２０類「揺りかご，幼児用歩行器，額縁」について，継続して三年以上日本国内において商標権者，専用使用権者又は通常使用権者のいずれも使用した事実が存しないから，商標法第５０条第１項の規定により取り消されるべきものである。
（２）弁駁
　被請求人は，２００７・２００９カタログにて使用実績がある旨主張し，その証拠方法として提出された乙第１号証の該当部分には，「スクエアコンテナ」（意味としては，「正方形の輸送用容器」と考えられる。），「レクタングルコンテナ」（意味としては「長方形の輸送用容器」と考えられる。），「メディシンボックス」（意味としては，「薬箱」と考えられる。），「Ｓｔｒｏａｇｅ　ｃａｒｔ」（意味としては「貯蔵用カート」と考えられる。）などが掲載されているが，このコンテナなどは，本件取消請求に係る「揺りかご，幼児用歩行器，額縁」とは全く別ものである。
　一方，本件の取消対象商品は，それぞれ次の意味を有するものである。
「揺りかご」は，赤ん坊を入れ，ゆり動かすかごを意味する（甲第３号証）。「幼児用歩行器」は，幼児が用いる歩行器である。
　したがって，仮にコンテナなどについて商標が使用されていたとしても，それは，本件の取消対象商品である「揺りかご，幼児用歩行器，額縁」について商標を使用したことにはならない。
　
３　被請求人の主張
　本件審判請求は成り立たない，審判費用は請求人の負担とする，との審決を求めると答弁し，その理由（要旨）を次のように述べ，証拠方法として，乙第１号証及び乙第２号証を提出した。
（１）答弁の理由
　２００６・２００９カタログにおいて使用実績があるから取消は認められない。
（２）前記２の（２）の弁駁に対して，被請求人は，何ら答弁するところがない。
　
４　当審の判断
（１）商標「Ｃｏｕｔｕｒｉｅｒ」の使用について
　乙第１号証は，２通の商品カタログと認められる。その一方のカタログの表紙に「Ｃｏｕｔｕｒｉｅｒ」，「ｂｙ　ｍａｔｓｕｙａ　ｃｏ．，ｌｔｄ．」及び「２００９　ｓｐｒｉｎｇ＆ｓｕｍｍｅｒ／ｍａｔｓｕｙａ　ｃｏ．，ｌｔｄ．」の記載があり，また，もう一方のカタログの表紙には，「Ｃｏｕｔｕｒｉｅｒ」及び「２００６　Ａ／Ｗ　／ｍａｔｓｕｙａ　ｃｏ．，ｌｔｄ．」の記載がある。そして，それぞれのカタログの裏表紙には，被請求人の名称である「株式会社マツヤ」の記載及びその住所，電話番号などが記載されている。
　以上の記載から，被請求人は，「２００９年春夏版のカタログ」及び「２００６年秋冬版のカタログ」に，本件商標と書体は異なるものの社会通念上同一と認められる商標を使用していたことが認められる。
（２）商品「揺りかご，幼児用歩行器，額縁」の使用について
　本件の取消請求に係る商品は，第２０類「揺りかご，幼児用椅子，額縁」であるところ，乙第１号証の２通の商品カタログには，それぞれに木製や布製の容器，スリッパ，エプロン及びカーテンなどのいわゆる生活雑貨と称される商品が掲載されており，被請求人が使用を立証しようとすると認められる商品の品番部分に黄色のマーカーが施されている。
　そこで，これらのマーカーの施された商品についてみると，「２００９年春夏版のカタログ」の２４ページの「ＣＩ−７４」及び「ＣＩ−７５」の項には，それぞれ木製の容器と認められる商品の写真とともに「スクエアコンテナ」及び「レクタングルコンテナ」の記載があり，２６ページの「ＣＫ−９２」の項には，布製の容器と認めらる商品の写真とともに「メディシンボックス」の記載がある。また，「２００６年秋冬版のカタログ」の１０ページの「ＣＥ−２５」及び「ＣＥ−２６」の項には，それぞれ，キャスターの付いた藤製の容器と認められる商品の写真とともに「Ｓｔｏｒａｇｅ　ｃａｒｔ」の記載がある。
　そして，これらの商品に記載された名称は，請求人の主張するとおり，「正方形の輸送用容器」，「長方形の輸送用容器」，「薬箱」及び「貯蔵用カート」を意味するものであり，また，それぞれの商品写真も参照すれば，これらの商品が，取消請求に係る商品である「揺りかご，幼児用歩行器，額縁」のいずれにも該当しないことは明らかである。
　さらに，上記以外の本件全証拠資料について検討しても，被請求人が取消請求に係る商品「揺りかご，幼児用歩行器，額縁」について本件商標の使用をしているとの事実は認められない。
　以上のとおり，被請求人は，本件審判の請求の登録前３年以内に日本国内において，商標権者，専用使用権者又は通常使用権者のいずれかが取消請求に係る指定商品のいずれかについての本件商標の使用をしていたことを証明したものとは認められない。また，被請求人は，本件商標を使用していなかったことについて正当な理由があることも明らかにしていない。
　したがって，本件商標の登録は，指定商品中「結論掲記の商品」について，商標法第５０条の規定により，取り消すべきものである。
　よって，結論のとおり審決する。